(57)【要約】      （修正有）【課題】月の末日の日付変更に対し高い精度をもたらすカレンダ機構を提供する。【解決手段】カレンダ機構は、日車１、２、日付プログラム・ユニット３、駆動ユニット４、及び駆動部材５を備える。日車１、２は、互いに対して重なり合い、回転自由である一の位の第１の下側車及び一の位の第２の上側車、並びに互いに対して重なり合い、回転自由である十の位の第３の下側車及び十の位の第４の上側車を備える。日付プログラム・ユニット３は、日車１、２を作動する日付プログラム車セットを備え、日車１、２と選択的に嵌合するように構成し、月の末日が、十の位の第３の下側車及び一の位の第１の下側車により表示され、翌月の最初の日が、十の位の第４の上側車及び一の位の第２の上側車により表示されるようにし、２つの連続する月の日付の変更は、月とは無関係に十の位の第４の上側車及び一の位の第２の上側車の単一のジャンプを介して生じる。【選択図】図１
2018100970.tif 000002
【特許請求の範囲】
【請求項１】
計時器のためのカレンダ機構であって、日車（１、２）による日付表示部、前記日車を駆動するように構成した日付プログラム・ユニット（３）、前記日付プログラム・ユニット（３）を駆動するように構成した駆動ユニット（４）、及び前記駆動ユニット（４）を作動するように構成した前記計時器の駆動部材（５）を備える、カレンダ機構において、前記日車（１、２）は、一方では、重なり合い、互いに対して回転自由である一の位の第１の下側車（２ａ）及び一の位の第２の上側車（２ｂ）を備え、もう一方では、重なり合い、互いに対して回転自由である十の位の第３の下側車（１ａ）及び十の位の第４の上側車（１ｂ）を備え、前記一の位の第１の下側車（２ａ）は、数字８、９、０及び１が占める８つの区分に分割し、前記一の位の第２の上側車（２ｂ）は、８つの区分に分割し、前記８つの区分のうち７つの区分は、１から７までの数字が占め、１つの前記区分は、前記一の位の第１の下側車（２ａ）が担う数字のうち１つを示す開口が占め、前記十の位の第３の下側車（１ａ）は、数字２及び３が占める８つの区分に分割し、前記十の位の第４の上側車（１ｂ）は、８つの区分に分割し、前記８つの区分のうち７つの区分は、数字０、１及び２が占め、１つの前記区分は、前記十の位の第３の下側車（１ａ）が担う数字のうち１つを示す開口によって占めること、前記日付プログラム・ユニット（３）は、前記一の位の第１の下側車（２ａ）及び前記十の位の第３の下側車（１ａ）を作動する第１の日付プログラム車セット（３ａ）、並びに前記一の位の第２の上側車（２ｂ）及び前記十の位の第４の上側車（１ｂ）を作動する第２の日付プログラム車セット（３ｂ）を備え、前記第１の日付プログラム車セット（３ａ）及び前記第２の日付プログラム車セット（３ｂ）は、前記日車（１ａ、１ｂ、２ａ、２ｂ）と選択的に嵌合するように構成し、これにより、当該月の末日を、前記十の位の第３の下側車（１ａ）及び前記一の位の第１の下側車（２ａ）により表示し、翌月の最初の日を、前記十の位の第４の上側車（１ｂ）及び前記一の位の第２の上側車（２ｂ）により表示するようにし、２つの連続する月の日付の変更は、月とは無関係に前記十の位の第４の上側車（１ｂ）及び前記一の位の第２の上側車（２ｂ）の単一のジャンプを介して生じることを特徴とする、カレンダ機構。
【請求項２】
前記駆動ユニット（４）は、前記第１の日付プログラム車セット（３ａ）を駆動するように構成した第１の駆動車（２０ａ）、及び前記第２の日付プログラム車セット（３ｂ）を駆動するように構成した第２の駆動車（２０ｂ）を備えること、並びに前記駆動部材（５）は、前記第１の駆動車（２０ａ）と嵌合する第１の駆動小歯車（２２ａ）、及び前記第２の駆動車（２０ｂ）と嵌合する第２の駆動小歯車（２２ｂ）を備えることを特徴とする、請求項１に記載のカレンダ機構。
【請求項３】
前記第１の日付プログラム車セット（３ａ）は、前記駆動ユニット（４）と少なくとも間接的に嵌合する第１の日付駆動車（１４ａ）、前記十の位の第３の下側車（１ａ）と一体である小歯車（１２ａ）と少なくとも間接的に嵌合する十の位の下側車（１６ａ）、及び前記一の位の第１の下側車（２ａ）と一体である小歯車（１０ａ）と少なくとも間接的に嵌合する一の位の下側車（１８ａ）を備えること、並びに前記第２の日付プログラム車セット（３ｂ）は、前記駆動ユニット（４）と少なくとも間接的に嵌合する第２の日付駆動車（１４ｂ）、前記十の位の第４の上側車（１ｂ）と一体である小歯車（１２ｂ）と少なくとも間接的に嵌合する十の位の上側車（１６ｂ）、及び前記一の位の第２の上側車（２ｂ）と一体である小歯車（１０ｂ）と少なくとも間接的に嵌合する一の位の上側車（１８ｂ）を備えることを特徴とする、請求項１又は２に記載のカレンダ機構。
【請求項４】
前記カレンダ機構は、前記駆動ユニット（４）と協働するように構成した月車セット（２４）及びうるう年調節機構（２６）を更に備えること、並びに前記駆動ユニット（４）は、前記カレンダ機構がパーペチュアル・カレンダ機構であるように、前記第１の駆動車（２０ａ）及び前記第２の駆動車（２０ｂ）を組み込んだ月プログラム車であることを特徴とする、請求項２又は３に記載のカレンダ機構。
【請求項５】
前記第１の駆動車（２０ａ）、前記第２の駆動車（２０ｂ）のそれぞれは、２８個の歯を有し、前記歯の１つは、切欠き（２８）を形成するように欠けており、前記切欠き（２８）は、前記第１の駆動車（２０ａ）、前記第２の駆動車（２０ｂ）のそれぞれが前記駆動部材（５）によって駆動されない待機位置を画定することを特徴とする、請求項４に記載のカレンダ機構。
【請求項６】
前記月車セット（２４）は、３０日月車（３２）と一体である月車（３０）を備えること、及び前記うるう年調節機構（２６）は、非うるう年車（３８）及びうるう年車（４０）を備えるうるう年調節車セットであることを特徴とする、請求項４又は５に記載のカレンダ機構。
【請求項７】
前記月プログラム車は、前記第１の日付プログラム車（３ａ）及び前記第２の日付プログラム車（３ｂ）とそれぞれ嵌合する前記第１の駆動車（２０ａ）及び前記第２の駆動車（２０ｂ）に加えて、前記月車セット（２４）の前記月車（３０）と嵌合するように構成した歯（４４）を備える月変更車（４２）、前記うるう年調節車セットの前記非うるう年車（３８）と嵌合できるように構成した歯（５６）を保持する２８日車（５４）、前記うるう年調節車セットの前記うるう年車（４０）と嵌合できるように構成した歯（５２）を保持する２９日車（５０）、及び前記３０日月車（３２）と嵌合できるように構成した歯（４８）を保持する３０日車（４６）を備え、前記月変更車（４２）は、前記第２の駆動車（２０ｂ）と一体であり、ピン（５８）を保持し、前記２８日車（５４）は、前記月変更車（４２）に対して、当該月の２８日に、前記２８日車（５４）の前記歯（５６）が前記月変更車（４２）の前記歯（４４）と位置合わせされるように構成し、前記２９日車（５０）の前記歯（５２）は、前記２８日車（５４）の前記歯（５６）に対して１段ずれ、前記３０日車（４６）の前記歯（４８）は、前記２９日車（５０）の前記歯（５２）に対して１段ずれ、前記３０日車（４６）、前記２９日車（５０）、前記２８日車（５４）及び前記第1の駆動車（２０ａ）は、互いに一体であり、それぞれ、前記月変更車（４２）の前記ピン（５８）を受けるように構成した楕円開口（６０）を有することを特徴とする、請求項６に記載のカレンダ機構。
【請求項８】
前記うるう年調節車セット、及び前記うるう年調節車セットと一体に回転するマルタ十字（３４）は、前記月車セット（２４）上に枢動可能に配設し、前記マルタ十字（３４）は、固定フィンガ（３６）によって作動させ、前記固定フィンガ（３６）周りに、前記月車セット（２４）が保持する前記マルタ十字（３４）が回転することを特徴とする、請求項６又は７に記載のカレンダ機構。
【請求項９】
前記月車セット（２４）は、互いに一体である年車（６２）、月車（３０）、３０日月車（３２）及び２月車（６４）を備えること、並びに前記うるう年調節機構（２６）は、第１の下側歯部（６６）及び第２の上側歯部（６８）を有するうるう年調節車を備え、前記第１の下側歯部（６６）及び前記第２の上側歯部（６８）は、互いに対して１段ずれ、前記うるう年調節機構（２６）は、少なくとも２３００年までうるう年プログラム車（６３）と協働するように構成し、前記カレンダ機構がセキュラー・パーペチュアル・カレンダ機構であるようにすることを特徴とする、請求項４又は５に記載のカレンダ機構。
【請求項１０】
前記月プログラム車は、前記第１の日付プログラム車セット（３ａ）及び前記第２の日付プログラム車セット（３ｂ）とそれぞれ嵌合する前記第１の駆動車（２０ａ）及び前記第２の駆動車（２０ｂ）に加えて、月変更車（４２）、２８日ジャンパ（７０）、２９日車（５０）、３０日車（４６）を備え、前記月変更車（４２）は、前記月車セット（２４）の前記月車（３０）と嵌合するように構成した歯（４４）を備え、前記月変更車（４２）は、前記第2の駆動車（２０ｂ）と一体であり、ピン（５８）を保持し、前記２８日ジャンパ（７０）は、うるう年において、前記うるう年調節機構（２６）が回転自由であるときに前記うるう年調節車の前記第１の下側歯部（６６）と嵌合し、非うるう年において、前記うるう年調節機構（２６）の回転が前記うるう年プログラム車（６３）によって係止されているときに前記月車セット（２４）の前記２月車（６４）と嵌合できるように構成した歯（７２）を保持し、前記２９日車（５０）は、前記２月車（６４）と嵌合できるように構成した歯（５２）を保持し、前記２９日車（５０）の前記歯（５２）は、前記２８日ジャンパ（７０）の前記歯（７２）に対して１段ずれ、前記３０日車（４６）は、前記３０日月車（３２）と嵌合できるように構成した歯（４８）を保持し、前記３０日車（４６）の前記歯（４８）は、前記２９日車（５０）の前記歯（５２）に対して１段ずれ、前記２８日ジャンパ（７０）は、前記月変更車（４２）に対して、当該月の２８日に、前記２８日ジャンパ（７０）の前記歯（７２）が前記月変更車（４２）の前記歯（４４）と位置合わせするように構成し、前記３０日車（４６）、前記２９日車（５０）、前記２８日ジャンパ（７０）及び前記第１の駆動車（２０ａ）は、互いに対して一体に回転し、前記３０日車（４６）、前記２９日車（５０）及び前記第１の駆動車（２０ａ）はそれぞれ、前記月変更車（４２）の前記ピン（５８）を受けるように構成した楕円開口（６０）を有することを特徴とする、請求項９に記載のカレンダ機構。
【請求項１１】
前記うるう年プログラム車（６３）は、前記月車セット（２４）の前記年車（６２）と協働するように構成した年駆動車（７４）、年表示を制御する車（７５、９０、９４、９６）のための駆動車（７６、７８）、年カム（８０）、及び世紀カム（８２）を備え、前記年カム（８０）は、非うるう年において、前記うるう年調節車の前記第２の上側歯部（６８）を係止し、うるう年において、前記上側歯部を自由にしておくように構成し、前記年駆動車（７４）、年表示を制御する前記車（７５、９０、９４、９６）のための前記駆動車（７６、７８）、及び前記年カム（８０）は、一体に回転し、前記世紀カム（８２）は、前記年カム（８０）上に枢動可能に組み付け、２１００、２２００及び２３００年の非うるう年において、前記年カム（８０）に代わり、前記うるう年調節車の前記第２の上側歯部（６８）を係止するように構成することを特徴とする、請求項９又は１０に記載のカレンダ機構。
【請求項１２】
前記月車セット（２４）は、互いに一体である年車（６２）、月車（３０）、３０日月車（３２）、及び単一の歯（１６３）を有する２月車を備えること、並びに前記うるう年調節機構（２６）は、少なくとも２３００年までうるう年プログラム車（６３）と協働するように構成した係止カム（１６５）を備え、前記カレンダ機構がセキュラー・パーペチュアル・カレンダ機構であるようにすることを特徴とする、請求項４又は５に記載のカレンダ機構。
【請求項１３】
前記月プログラム車は、前記第１の日付プログラム車（３ａ）及び前記第２の日付プログラム車（３ｂ）とそれぞれが嵌合する前記第１の駆動車（２０ａ）及び前記第２の駆動車（２０ｂ）に加えて、月変更フィンガ（１４２）、２８日車、２９日車、及び３０日車を備え、前記月変更フィンガ（１４２）は、前記月車セット（２４）の前記月車（３０）と嵌合するように構成した歯（１４４）で終端し、前記月変更フィンガ（１４２）は、前記第２の駆動車（２０ｂ）からは結合不可能であるように構成し、前記２８日車は、前記係止カム（１６５）と協働できるように構成した後退可能歯（１５６）を保持し、前記２８日車の前記歯（１５６）が前記２月車の前記歯（１６３）と協働することができるか又は協働できないようにし、前記２９日車は、前記２月車の前記歯（１６３）と嵌合できるように構成した後退可能歯（１５２）を保持し、前記３０日車は、前記３０日月車（３２）と嵌合できるように構成した後退可能歯（１４８）を保持することを特徴とする、請求項１２に記載のカレンダ機構。
【請求項１４】
前記うるう年プログラム車（６３）は、前記係止カム（１６５）を作動するように構成した年カム（８０）、及び２１００、２２００及び２３００年の非うるう年において、前記年カム（８０）に代わり、前記係止カム（１６５）を作動するように構成した世紀カム（８２）を備えることを特徴とする、請求項１３に記載のカレンダ機構。
【請求項１５】
請求項１から１４のうちいずれか一項に記載の年カレンダ機構を備える計時器。
【発明の詳細な説明】
【技術分野】
【０００１】
本発明は、計時器のためのカレンダ機構に関し、カレンダ機構は、日車による日付表示部、決定したシーケンスで日車を駆動するように構成した日付プログラム・ユニット、日付プログラム・ユニットを駆動するように構成した駆動ユニット、及び駆動ユニットを作動するように構成した計時器の駆動部材を備える。本発明は、そのようなカレンダ機構を備える計時器にも関する。
【背景技術】
【０００２】
この種のカレンダ機構は、例えば、特許文献１に記載されている。このカレンダ機構は、特に、０から３の数字を担う十の位の車、並びに２つの一の位の車、即ち、０から４の数字を担う上側車及び５から９の数字を担う下側車を備える。この構成のために、２月２８日から２月２９日への日付の変更又は３０日の月の末日における日付の変更には、翌月の最初の日を表示するために一方又は両方の車の１回又は複数回の中間ジャンプを必要とする。したがって、このことにより、日付を変更する際にカレンダ表示に対する精度不足をもたらす。
【０００３】
更に、日付は、十の位の車及び一の位の車により表示され、十の位の車及び一の位の車は、３１日のうち１５日、即ち、月の半分に近くは２つの異なるレベル上にある。一の位の数字と十の位の数字との間のこの高さの差は、魅力的ではない外観を与える。更に、日付が、特に３１日から１日に変更する際、十の位の車のみが移動し、この結果、日付の変更が明確に表示されない。
【０００４】
連続タイプのカレンダ機構もあるが、これらは、日付、特に月を変更する際、一定時間の間、日付表示を不正確なままにするという欠点を有する。
【先行技術文献】
【特許文献】
【０００５】
【特許文献１】米国特許第７５３２５４６号明細書
【発明の概要】
【発明が解決しようとする課題】
【０００６】
公知のデバイスの様々な欠点を克服することが本発明の目的である。
【０００７】
より正確には、日付、特に月を変更する際、及びより詳細には２月２８日若しくは２９日、又は３０日の月の末日の変更に対し高い精度をもたらすカレンダ機構を提供することが本発明の目的である。
【０００８】
外観を改良したカレンダ機構を提供することが本発明の目的であり、これにより、日付が、同じ構造体の一部である２つの数字から形成されているという印象を与える。
【課題を解決するための手段】
【０００９】
この目的で、本発明は、計時器のためのカレンダ機構に関し、カレンダ機構は、日車による日付表示部、決定したプログラム・シーケンスで日車を駆動するように構成した日付プログラム・ユニット、日付プログラム・ユニットを駆動するように構成した駆動ユニット、及び駆動ユニットを作動するように構成した計時器の駆動部材を備える。
【００１０】
本発明によれば、日車は、一方では、重なり合い、互いに対して回転自由である一の位の第１の下側車及び一の位の第２の上側車を備え、もう一方では、重なり合い、互いに対して回転自由である十の位の第３の下側車及び十の位の第４の上側車を備え、一の位の第１の下側車は、数字８、９、０及び１が占める８つの区分に分割し、一の位の第２の上側車は、８つの区分に分割し、８つの区分のうち７つの区分は、数字１から７によって占められ、１つの区分は、一の位の第１の下側車が担う数字のうち１つを示す開口によって占められ、十の位の第３の下側車は、数字２及び３が占める８つの区分に分割し、十の位の第４の上側車は、８つの区分に分割し、８つの区分のうち７つの区分は、数字０、１及び２によって占められ、１つの区分は、十の位の第３の下側車が担う数字のうち１つを示す開口によって占められ、日付プログラム・ユニットは、一の位の第１の下側車及び十の位の第３の下側車を作動する第１の日付プログラム車セット、一の位の第２の上側車及び十の位の第４の上側車を作動する第２の日付プログラム車セットを備え、上記第１の日付プログラム・ユニット及び第２の日付プログラム・ユニットは、日車と選択的に嵌合するように構成し、これにより、当該月の末日が、十の位の第３の下側車及び一の位の第１の下側車により表示され、翌月の最初の日が、十の位の第４の上側車及び一の位の第２の上側車により表示されるようにし、２つの連続する月の間の日付の変更、したがってその月の最初の日の表示が、月とは無関係に十の位の第４の上側車及び一の位の第２の上側車の単一のジャンプを介して生じる。
【００１１】
したがって、本発明によるカレンダ機構は、月を変更する際、日付の非常に正確な表示をもたらす。
【００１２】
更に、本発明によるカレンダ機構は、十の位の数字及び一の位の数字が、３１日のうち２５日の間同じレベル上にある日付表示をもたらす。このことにより、特にラージ・デイトの表示に適した、非常に魅力的なカレンダ表示を得ることを可能にする。
【００１３】
第１の変形形態によれば、本発明のカレンダ機構は、駆動ユニットと協働する月車セット及びうるう年調節機構を更に備え、上記駆動ユニットは、月プログラム車を備え、カレンダ機構がパーペチュアル・カレンダ機構であるであるようにする。
【００１４】
本発明の別の変形形態によれば、うるう年調節機構は、少なくとも２３００年までうるう年プログラム車と協働するように構成し、カレンダ機構がセキュラー・パーペチュアル・カレンダ機構であるようにする。
【００１５】
本発明は、上記で定義したカレンダ機構を備える計時器にも関する。
【００１６】
本発明の他の特徴及び利点は、単に例示及び非限定例として示す本発明の特定の実施形態に対する以下の説明、及び添付の図面を読めばより明らかになるであろう。
【図面の簡単な説明】
【００１７】
【図１】本発明によるカレンダ機構の第１の変形形態の上面図である。
【図２】図１の線Ａ−Ａに沿った断面図である。
【図３】一の位の下側車を有する一の位の第１の下側車を示す上面図である。
【図４】一の位の上側車を有する一の位の第２の上側車を示す上面図である。
【図５】十の位の下側車を有する十の位の第３の下側車を示す上面図である。
【図６】十の位の上側車を有する十の位の第４の上側車を示す上面図である。
【図７】図１の線Ｂ−Ｂに沿った断面図である。
【図８】図１の線Ｃ−Ｃに沿った断面図である。
【図９】駆動ユニット、駆動部材、月車セット、及びうるう年調節機構の等角上面図である。
【図１０】駆動ユニット及び月車セットの等角底面図である。
【図１１】本発明によるカレンダ機構の第２の変形形態の上面図である。
【図１２】第２の変形形態による駆動ユニット、月車セット、及びうるう年調節機構の等角上面図である。
【図１３】図１１の線Ｃ−Ｃに沿った断面図である。
【図１４】図１１の線Ｂ−Ｂに沿った断面図である。
【図１５】第２の変形形態の別の実施形態による駆動ユニット、月車セット、うるう年調節機構、及びうるう年プログラム車の上面図である。
【発明を実施するための形態】
【００１８】
以下の説明は、最初に、図１から図１０を参照して、ラージ・デイトの表示に特に適したパーペチュアル・カレンダ機構に関し、次に、同様にラージ・デイトの表示に特に適したセキュラー・パーペチュアル・カレンダに関する。
【００１９】
図１を参照すると、図示されるのは、ラージ・デイトの表示に特に適したカレンダ表示を備える計時器のためのカレンダ機構である。日付は、日車１、２、より詳細には、十の位の車が担う十の位の数字と一の位の車が担う一の位の数字との組合せによって構成される。公知の様式では、日付は、２つの幅広開口を通じて出現し、これらの開口は、文字板内に配置され、並列に置かれている。日車は、日付プログラム・ユニット３によって駆動され、日付プログラム・ユニット３は、当該月の日付が開口内に連続して出現するようにプログラムしたシーケンスで日車を作動するように配置する。日付プログラム・ユニット３は、駆動ユニット４によって駆動し、駆動ユニット４自体は、計時器ムーブメントによって動力供給する駆動部材５によって作動される。
【００２０】
本発明によれば、より詳細には図２から図６を参照すると、４つの日車があり、日車は、一方では、重ねて置かれ、同軸に組付けられ、互いに対して自由に回転する一の位の第１の下側車２ａ及び一の位の第２の上側車２ｂを備え、もう一方では、重ねて置かれ、同軸に組付けられ、互いに対して自由に回転する十の位の第３の下側車１ａ及び十の位の第４の上側車１ｂを備える。一の位の第２の上側車２ｂは、一の位の心棒６ｂと一体であり、心棒６ｂは、小歯車１０ｂも支え、したがって、小歯車１０ｂは、一の位の第２の上側車２ｂと一体である。一の位の第１の下側車２ａは、一の位の心棒６ａと一体であり、心棒６ａは、小歯車１０ａも支持し、したがって、小歯車１０ａは、一の位の第１の下側車２ａと一体である。一の位の心棒６ａは、一の位の心棒６ｂ周りに自由に回転するように同軸に組み付けられている。同様に、十の位の第４の上側車１ｂは、十の位の心棒８ｂと一体であり、心棒８ｂは、小歯車１２ｂも支え、したがって、小歯車１２ｂは、上記十の位の第４の上側車１ｂと一体である。十の位の第３の下側車１ａは、十の位の心棒８ａと一体であり、心棒８ａは、小歯車１２ａも支持し、したがって、小歯車１２ａは、十の位の上記第３の下側車１ａと一体である。十の位の心棒８ａは、十の位の心棒８ｂ周りに自由に回転するように同軸に組み付けられている。
【００２１】
図３に示すように、一の位の第１の下側車２ａは、８つの規則的な区分に分割し、区分は、数字８、９、０及び１によって占められ、シーケンス８、９、０、１、８、９、０、１を形成している。図４に示すように、一の位の第２の上側車２ｂは、８つの規則的な区分に分割し、８つの区分のうち、７つの区分は、数字１から７によって占められ、シーケンス１、２、３、４、５、６、７を形成し、１つの区分は、開口によって占められ、一の位の第１の車２ａ及び一の位の第２の車２ｂを重ねて置いた場合に、開口は、一の位の第１の下側車２ａが担う数字のうちの１つを示す。
【００２２】
図５に示すように、十の位の第３の下側車１ａは、８つの規則的な区分に分割し、区分は、数字２及び３によって占められ、シーケンス２、２、３、３、２、２、３、３を形成している。図６に示すように、十の位の第４の上側車１ｂは、８つの規則的な区分に分割し、８つの区分のうち、７つの区分は、数字０、１及び２によって占められ、シーケンス０、０、１、１、２、２、２を形成し、１つの区分は、開口によって占められ、十の位の第３の車１ａ及び十の位の第４の車１ｂを重ねて置いた場合に、開口は、十の位の第３の下側車１ａが担う数字のうちの１つを示す。
【００２３】
日車１ａ、１ｂ、２ａ、２ｂは、日付プログラム・ユニット３によって駆動し、日付プログラム・ユニット３は、一の位の第１の下側車２ａ及び十の位の第３の下側車１ａを作動する第１の日付プログラム車セット３ａ、並びに一の位の第２上側車２ｂ及び十の位の第４の上側車１ｂを作動する第２の日付プログラム車セット３ｂを備える。
【００２４】
より詳細には、図２、図３及び図５を参照すると、第１の日付プログラム車セット３ａは、下方に見えるように、駆動ユニット４と少なくとも間接的に嵌合する第１の日付駆動車１４ａ、十の位の第３の下側車１ａと一体である小歯車１２ａと少なくとも間接的に嵌合する十の位の下側車１６ａ、及び一の位の第１の下側車２ａと一体である小歯車１０ａと少なくとも間接的に嵌合する一の位の下側車１８ａを備える。第１の日付駆動車１４ａ、十の位の下側車１６ａ及び一の位の下側車１８ａは、重ねて組み付け、心棒３ｃ上に一緒に接合する。
【００２５】
より詳細には、図２、図４及び図６を参照すると、第２の日付プログラム車セット３ｂは、下方に見えるように、駆動ユニット４と少なくとも間接的に嵌合する第２の日付駆動車１４ｂ、十の位の第４の上側車１ｂと一体である小歯車１２ｂと少なくとも間接的に嵌合する十の位の上側車１６ｂ、及び一の位の第２の上側車２ｂと一体である小歯車１０ｂと少なくとも間接的に嵌合する一の位の上側車１８ｂを備える。第２の日付駆動車１４ｂ、十の位の上側車１６ｂ及び一の位の上側車１８ｂは、重ねて組み付け、心棒３ｄ上に一緒に接合する。心棒３ｃは、心棒３ｄ上に枢動可能に同軸に組み付けられている。
【００２６】
第１の日付プログラム車セット３ａ及び第２の日付プログラム車セット３ｂは、日車１ａ、１ｂ、１ｃ、１ｄと選択的に嵌合するように配置し、このために、当該月の末日が十の位の第３の下側車１ａ及び一の位の第１の下側車２ａによって表示され、翌月の最初の日が、十の位の第４の上側車１ｂ及び一の位の第２の上側車２ｂによって表示され、２つの連続する月の間の日付の変更、したがってその月の最初の日の表示が、月とは無関係に、十の位の第４の上側車１ｂ及び一の位の第２の上側車２ｂの単一のジャンプにより生じるようにする。
【００２７】
この目的で、駆動ユニット４によって１日につき１段駆動される十の位の下側車１６ａ、十の位の上側車１６ｂ、一の位の下側車１８ａ及び一の位の上側車１８ｂは、歯部を備え、歯部の歯数及び分布は、小歯車１２ａ、１２ｂ、１０ａ、１０ｂ、したがって関連する日車１ａ、１ｂ、２ａ、２ｂの駆動区分、又は待機位置を形成するように選択し、待機位置では、日車は、当該月の１日から７日、１１日から１７日、及び２１日から２７日は、十の位の第４の上側車１ｂ及び一の位の第２の上側車２ｂによって表示し、当該月の８日、９日、１０日、１８日、１９日及び２０日は、十の位の第４の上側車１ｂ及び一の位の第１の下側車２ａによって表示し、当該月の２８日、２９日、３０日及び３１日は、十の位の第３の下側車１ａ及び一の位の第１の下側車２ａによって表示するように係止される。
【００２８】
十の位の下側車１６ａ及び一の位の下側車１８ａは、第１の日付駆動車１４ａにより駆動し、第１の日付駆動車１４ａは、駆動ユニット４と協働し、十の位の上側車１６ｂ及び一の位の上側車１８ｂは、第２の日付駆動車１４ｂにより駆動し、第２の日付駆動車１４ｂは、駆動ユニット４と協働する。
【００２９】
より詳細には、図７を参照すると、駆動ユニット４は、第１の日付プログラム車セット３ａを駆動するように構成した第１の駆動車２０ａ、及び第２の日付プログラム車セット３ｂを駆動するように構成した第２の駆動車２０ｂを備える。駆動部材５は、図９に示すように、第１の駆動車２０ａと嵌合する第１の駆動小歯車２２ａ、及び第２の駆動車２０ｂと嵌合する第２の駆動小歯車２２ｂを備える。駆動小歯車２２ａ及び２２ｂは、互いに同軸で、一体である。駆動小歯車２２ａ及び２２ｂは、ムーブメントによって動力供給され、ムーブメントにより、駆動小歯車２２ａ及び２２ｂは第１の駆動車２０ａ及び第２の駆動車２０ｂを１日に一度作動するように協働する。
【００３０】
駆動ユニットは、複雑機構を有さなくてもよく、月末の日付のあらゆる修正は、ユーザが手動で行う。
【００３１】
しかし、特に有利な実施形態によれば、駆動ユニット４は、第１の駆動車２０ａ及び第２の駆動車２０ｂを組み込んだ月プログラム車の形態を取り、カレンダ機構は、駆動ユニット４と協働するように構成した月車セット２４及びうるう年調節機構２６も備え、本発明によるカレンダ機構がパーペチュアル・カレンダ機構であるようにする。月車セット２４は、車又はあらゆる他の月表示部材を保持する。
【００３２】
より詳細に図９を参照すると、第１の駆動車２０ａ、第２の駆動車２０ｂのそれぞれは、２８個の歯を有し、歯の１つは、切欠き２８を形成するように欠けており、切欠き２８は、第１の駆動車２０ａ、第２の駆動車２０ｂのそれぞれが駆動部材５によって駆動されない待機位置を画定する。第１の駆動車２０ａ上に設けた切欠き２８は、当該月の２８日、２９日、３０日及び３１日に対応する歯の後に位置し、第２の駆動車２０ｂ上に設けた切欠き２８は、当該月の第２の駆動車２０ｂの２８日の位置に対応する。
【００３３】
より詳細に図８から図１０を参照すると、月車セット２４は、１年の１２ヶ月に対応する１２個の歯を有する月車３０を備え、月車３０は、３０日の月、即ち４月、６月、９月及び１１月に対応するように構成した４つの歯を備える３０日月車３２と一体である。月車３０及び３０日月車３２は、これらの歯が重なり合うように配設する、即ち、同じ位置に合わせて配設する。
【００３４】
うるう年調節機構２６、及び上記うるう年調節機構２６と一体に回転するマルタ十字３４は、月車セット２４上で枢動するように配設し、マルタ十字３４は、枠上に配置した固定フィンガ３６によって作動させ、固定フィンガ３６周りに、月車セット２４が保持する上記マルタ十字３４が回転する。マルタ十字３４及び固定フィンガ３６は、月車セット２４が回る際に、マルタ十字３４が固定フィンガ３６の周辺部上を摺動するように、且つマルタ十字３４が固定フィンガ３６の前を通過する際にマルタ十字３４が４分の１回転を行うように構成し、うるう年調節機構２６を４分の１回転させるようにする。
【００３５】
この変形形態では、うるう年調節機構２６は、互いに重なり合い一体である非うるう年車３８及びうるう年車４０を備えるうるう年車セットである。非うるう年車３８は、十字を形成するように９０°で配置した３つのフィンガを有し、３つのフィンガのうち１つのアームは、欠けており、うるう年車４０は、空間の下に配設した単一のフィンガを有し、非うるう年車３８の欠けている枝部に対応する。うるう年調節車セット２６及びしたがってマルタ十字３４は、月車セット２４上に置かれ、非うるう年車３８及びうるう年車４０のフィンガは、月車セット２４の月車３０の２月の歯に対応する。非うるう年車３８及びうるう年車４０のフィンガは、以下で説明するように、駆動ユニット４と協働するように構成する。
【００３６】
駆動ユニット４又は月プログラム車は、それぞれ第１の日付プログラム車セット３ａの第１の日付駆動車１４ａ及び第２の日付プログラム車セット３ｂの第２の日付駆動車１４ｂと嵌合する第１の駆動車２０ａ及び第２の駆動車２０ｂに加えて、月変更車４２を備え、月変更車４２は、月車セット２４の月車３０と嵌合するように構成した歯４４、３０日月車３２と嵌合できるように構成した歯４８を保持する３０日基準車４６、うるう年調節車セット２６のうるう年車４０のフィンガと嵌合できるように構成した歯５２を保持する２９日基準車５０、及びうるう年調節車セット２６の非うるう年車３８のフィンガと嵌合できるように構成した歯５６を保持する２８日基準車５４を備える。２８日、２９日及び３０日車は、２９日基準車５０の歯５２が、２８日基準車５４の歯５６に対して１段ずれ、３０日車４６の歯４８が、２９日基準車５０の歯５２に対して１段ずれるように配設する。
【００３７】
月変更車４２は、第２の駆動車２０ｂの駆動心棒４ｂを介して第２の駆動車２０ｂに接合している。３０日基準車４６、２９日基準車５０、２８日基準車５４及び第１の駆動車２０ａは、駆動心棒４ｂ上に枢動可能に組み付けた駆動心棒４ａを介して互いに接合している。
【００３８】
月変更車４２は、第１の駆動車２０ａに向かってピン５８を保持する。３０日基準車４６、２９日基準車５０、２８日基準車５４及び第１の駆動車２０ａのそれぞれは、アイ（ｅｙｅ）と呼ぶ楕円開口６０を有し、アイは、月変更車４２のピン５８を受けるように構成し、アイ内部では、以下で説明するように、上記ピン５８は、第２の駆動車２０ｂの動きが第１の駆動車２０ａの動きと異なる場合に移動することができる。
【００３９】
２８日基準車５４は、当該月の２８日に、２８日車５４の歯５６が月変更車４２の歯４４と位置合わせするように月変更車４２に対して配置し、上記歯４４及び５６は、月車セット２４及びうるう年調節車セット２６のレベルに到達する。
【００４０】
カレンダ機構は、以下のように動作する：当該月の５日から２８日まで、車４２、４６、５０及び５４それぞれの歯４４、４８、５２、５６のいずれも、月車セット２４及びうるう年調節車セット２６のレベルに位置せず、固定されたままであり、第１の駆動車２０ａ及び第２の駆動車２０ｂは、駆動小歯車２２ａ及び２２ｂによってそれぞれ駆動され、１日につき１段の割合で同じ速度で一緒に前進する。月変更車４２のピン５８は、駆動ユニット４の車の回転方向でアイ６０の前に位置する。第１の駆動車２０ａ及び第２の駆動車２０ｂそれぞれは、第１の日付プログラム車セット３ａの第１の日付駆動車１４ａ、及び第２の日付プログラム車セット３ｂの第２の日付駆動車１４ｂを駆動し、第１の日付プログラム車セット３ａ及び第２の日付プログラム車セット３ｂのそれぞれが動いている状態にあるようにする。したがって、日付プログラム・ユニット３の十の位の下側車１６ａ、十の位の上側車１６ｂ、一の位の下側車１８ａ及び一の位の上側車１８ｂは、上記した日付プログラム・ユニット３の車の歯の数及び構成によってプログラムしたシーケンスに従って、関連する日車１ａ、１ｂ、２ａ、２ｂを駆動する。
【００４１】
毎月の２８日に、２８日車５４の歯５６は、月変更車４２の歯４４と位置合わせされ、上記歯５６及び４４は、月車セット２４及びうるう年調節車セット２６のレベルに到達する。月変更車４２のピン５８は、アイ６０の前に依然として位置する。更に、第２の駆動車２０ｂの切欠き２８は、駆動小歯車２２ｂのレベルに到達し、駆動小歯車２２ｂは、もはや、上記第２の駆動車２０ｂを駆動せず、したがって月変更車４２を駆動しない。したがって、歯４４及びピン５８は、これ以降は固定されている。第２の駆動車２０ｂは、待機位置で停止するため、第２の日付プログラム車セット３ｂも停止し、このため、当該月の以降の日は、月末まで、十の位の第３の下側車１ａ及び第１の下側車２ａにより表示されるようになり、十の位の第３の下側車１ａ及び第１の下側車２ａは、駆動ユニット４が駆動する唯一のものである第１の日付プログラム車セット３ａによって駆動される。
【００４２】
現在の月が３０日の月である場合、月車セット２４は、うるう年調節車セット２６が歯５２及び５６から離れているように、且つ３０日月車３２の歯の１つ及び月車３０の１つの歯が歯４８及び歯４４のそれぞれと協働できるように位置する。当該月の２８日からは、第２の駆動車２０ｂ、月変更車４２及びその歯４４及びピン５８は、上記したように停止する。駆動小歯車２２ａの作用下、第１の駆動車２０ａは、１日につき１段前進し続け、アイ６０の前部がピン５８から離れるようにする。２９日に変更する際、２８日車５４の歯５６は、月車セット２４の上を通過し、うるう年調節車セット２６を作動することはできない。次に、３０日に変化する際、２９日車５０の歯５２は、同様に月車セット２４の上を通過し、うるう年調節車セット２６を作動することはできない。同時に、第１の駆動車２０ａは、連続して１段前進して、第１の日付プログラム車セット３ａを駆動し、十の位の第３の下側車１ａ及び一の位の第１の下側車２ａにより２９日を表示し、次に、３０日を表示する。３０日から翌月の１日に変更する際、３０日車４６の歯４８は、３０日月車３２の歯と嵌合し、月車セット２４は、１段前進して翌月を表示する。１段前進させることによって、月車３０を有する月車セット２４は、月変更車４２の歯４４を駆動し、第２の駆動車２０ｂを再度始動させ、第２の日付プログラム車セット３ｂを駆動し、十の位の第４の上側車１ｂ及び一の位の第２の上側車２ｂにより、翌月の１日を表示するようにする。したがって、３０日から翌月の１日への変更は、十の位の第４の上側車１ｂ及び一の位の第２の上側車２ｂの単一のジャンプによって達成され、日付の番号１が、３０の代わりに瞬時に移行期間を伴わずに開口内に出現する。ピン５８も再度駆動する。今まで駆動小歯車２２ａが駆動していた第１の駆動車２０ａも、その切欠き２８が上記駆動小歯車２２ａのレベルに到達するように前進している。したがって、以降の日の間、第１の駆動車２０ａは、第１の日付プログラム車セット３ａのように待機位置で停止する。第２の駆動車２０ｂは、１日につき１段前進し、ピン５８を駆動し、ピン５８は、ピン５８が３日後に、上記アイ６０と接触するまで徐々にアイ６０の前部の近くに移動し、第１の駆動車２０ａを１段前進させ、駆動小歯車２２ａの駆動によって車２０ａを駆動し、再度始動させる。次に、２つの駆動車２０ａ及び２０ｂは、再度始動する。
【００４３】
現在の月が３１日の月である場合、月車セット２４は、うるう年調節車セット２６が歯５２及び５６から離れているように、且つ３０日月車３２の歯が歯４８から離れているように、且つ月車３０の現在の月の歯が歯４４と協働できるように位置する。当該月の２８日からは、第２の駆動車２０ｂ、月変更車４２及びその歯４４及びピン５８は、上記したように停止する。駆動小歯車２２ａの作用下、第１の駆動車２０ａは、１日につき１段前進し続け、アイ６０の前部がピン５８から離れるようにする。２９日から３０日への変更、次に、３１日に変更する際、うるう年調節車セット２６を作動できずに、連続して２８日車５４の歯５６が月車セット２４の上を通過し、次に、２９日車５０の歯５２が月車セット２４の上を通過し、次に、３０日月車３２を作動できずに、３０日車４６の歯４８が３０日月車３２の前を通過する。同時に、第１の駆動車２０ａは、連続して１段前進して、第１の日付プログラム車セット３ａを駆動し、十の位の第３の下側車１ａ及び一の位の第１の下側車２ａにより、２９日を表示し、次に３０日を表示し、次に３１日を表示する。第１の駆動車２０ａが前進する際、アイ６０の後部は、３１日にピン５８がアイ６０の裏面と接触するまで徐々にピン５８の近くに移動する。３１日から翌月の１日に変更する際、第１の駆動車２０ａは、駆動小歯車２２ａの作用下、再度１段前進し、ピン５８がアイ６０の後部に接して置かれるようにする。ピン５８の駆動により、月変更車、その歯４４及び第２の駆動車２０ｂを再度始動させ、１段前進させ、月変更車４２の歯４４が月車３０の歯と嵌合し、月車セット２４を１段前進させ、翌月を表示するようにする。再度始動すると、第２の駆動車２０ｂは、第２の日付プログラム車セット３ｂを駆動し、十の位の第４の上側車１ｂ及び一の位の第２の上側車２ｂにより、翌月の１日を表示するようにする。したがって、３１日から翌月の１日への変更は、十の位の第４の上側車１ｂ及び一の位の第２の上側車２ｂの単一のジャンプによって達成され、日付の番号１が、３１の代わりに瞬時に移行期間を伴わずに開口内に出現する。第１の駆動車２０ａが前進したので、第１の駆動車２０ａの切欠き２８は、上記駆動小歯車２２ａのレベルに到達する。したがって、それ以降の日の間、第１の駆動車２０ａは、第１の日付プログラム車セット３ａのように待機位置で停止する。第２の駆動車２０ｂは、１日につき１段前進し、ピン５８を駆動し、ピン５８は、ピン５８が３日後に、上記アイ６０と接触するまで徐々にアイ６０の前部の近くに移動し、第１の駆動車２０ａを１段前進させ、駆動小歯車２２ａの駆動によって車２０ａを駆動し、再度始動させる。次に、２つの駆動車２０ａ及び２０ｂは、再度動き始める。アイ６０／ピン５８システムは、２８個の歯を有する２つの駆動車２０ａ、２０ｂと共に３１日周期を得ることを可能にする。
【００４４】
非うるう年の場合、２月２８日に、月車セット２４は、３０日月車３２の歯が歯４８から離れるように、且つ月車３０の２月の歯が歯４４と協働できるように位置する。うるう年調節車セット２６は、非うるう年車３８のフィンガが２８日車５４の歯５６と協働できるように位置し、次に、うるう年車４０のフィンガが２９日車５０の歯５２から離れている。１ヶ月おきの２８日のように、第２の駆動車２０ｂは待機位置にあるため、月変更車４２及びその歯４４及びピン５８は、上記したように停止する。２月２８日から３月１日に変更する際、駆動小歯車２２ａの作用下、第１の駆動車２０ａは、２８日車５４の歯５６が非うるう年車３８のフィンガと嵌合するように前進し続け、うるう年調節車セット２６、及びしたがって月車２４を１段前進させ、３月を表示させる。１段前進させることによって、月車３０を有する月車セット２４は、月変更車４２の歯４４を駆動し、第２の駆動車２０ｂを再始動させ、第２の日付プログラム車セット３ｂを駆動し、十の位の第４の上側車１ｂ及び一の位の第２の上側車２ｂにより、３月１日を表示するようにする。したがって、２月２８日から３月１日への変更は、十の位の第４の上側車１ｂ及び一の位の第２の上側車２ｂの単一のジャンプによって達成され、３月１日が、２月２８日の代わりに瞬時に移行期間を伴わずに開口内に出現する。ピン５８は、アイ６０の前部に対し既に所定位置にあり、このため、３日後、第１の駆動車２０ａの切欠き２８が駆動小歯車２２ａのレベルに到達し、待機位置に移動したときに、第２の駆動車２０ｂは、アイの前部に対してピン５８を駆動し、第１の駆動車２０ａを再始動する。次に、２つの駆動車２０ａ及び２０ｂは、再度始動する。
【００４５】
月車セット２４がフィンガ３６の周りを１年につき１回転する際、マルタ十字３４は、１年につき４分の１回転し、上記したように、非うるう年車３８のフィンガが３年間歯５６に作用するようにする。４年目はうるう年に対応する。次に、マルタ十字３４は、うるう年車４０のフィンガが２９日車５０の歯５２と協働できるように、最後の４分の１回転を行う。次に、非うるう年車３８のフィンガは、２８日車５４の歯５６から離れる。
【００４６】
したがって、うるう年の場合、２月２８日に、月車セット２４は、３０日月車３２の歯が歯４８から離れるように、且つ月車３０の２月の歯が歯４４と協働できるように位置する。上記のように、うるう年調節車セット２６は、うるう年車４０のフィンガが２９日車５０の歯５２と協働できるように位置し、次に、非うるう年車３８のフィンガが２８日車５４の歯５６から離れている。１ヶ月おきの２８日のように、第２の駆動車２０ｂは待機位置にあるため、月変更車４２及びその歯４４及びピン５８は、上記したように停止する。駆動小歯車２２ａの作用下、第１の駆動車２０ａは、１日につき１段前進し続ける。２月２９日に変更する際、２８日車５４の歯５６は、非うるう年車３８の前を通過し、非うるう年車３８を作動することはできない。同時に、第１の駆動車２０ａは、１段前進して、第１の日付プログラム車セット３ａを駆動し、十の位の第３の下側車１ａ及び一の位の第１の下側車２ａにより、２９日を表示する。２月２９日から３月１日に変更する際、２８日車５０の歯５２は、非うるう年車４０のフィンガと嵌合し、うるう年調節車セット２６、及びしたがって月車２４を１段前進させ、３月を表示させる。１段前進させることによって、月車３０を有する月車セット２４は、月変更車４２の歯４４を駆動し、第２の駆動車２０ｂを再度始動させ、第２の日付プログラム車セット３ｂを駆動し、十の位の第４の上側車１ｂ及び一の位の第２の上側車２ｂにより、３月１日を表示するようにする。したがって、２月２９日から３月１日への変更は、十の位の第４の上側車１ｂ及び一の位の第２の上側車２ｂの単一のジャンプによって達成され、３月１日が、２月２９日の代わりに瞬時に移行期間を伴わずに開口内に出現する。第２の駆動車２０ｂが停止している間に、アイ６０の前部から離れていたピン５８は、３日後、第１の駆動車２０ａの切欠き２８が駆動小歯車２２ａのレベルに到達し、待機位置に移動するときに、アイ６０の前部に接する所定位置に戻り、第２の駆動車２０ｂは、アイの前部に接するピン５８を駆動し、第１の駆動車２０ａを再度始動する。次に、２つの駆動車２０ａ及び２０ｂは、再度始動する。
【００４７】
したがって、本発明によるカレンダ機構は、第１の日付プログラム車セット３ａ及び第２の日付プログラム車セット３ｂの駆動を制御することができ、第１の日付プログラム車セット３ａにより、当該月の末日に２８日を表示し、第２の日付プログラム車セット３ｂによって翌月の最初の日を表示し、当該月の末日と翌月の最初の日の間の変更は、十の位の第４の上側車１ｂ及び一の位の第２の上側車２ｂの単一のジャンプによって行い、十の位の第３の下側車１ａ及び一の位の第１の下側車２ａの代わりに、瞬時に移行期間を伴わずに開口内に出現する。
【００４８】
更に、本発明によるカレンダ機構は、日付表示をもたらし、十の位の数字及び一の位の数字は、３１日のうち２５日の間同じレベル上にある。このことにより、特にラージ・デイトの表示に適した、非常に魅力的なカレンダ表示を得ることを可能にする。
【００４９】
更に、本発明によるカレンダ機構は、双方向であるという利点を有する。
【００５０】
図１１から図１４を参照すると、カレンダ機構が、２１００、２２００及び２３００年を管理するセキュラー・パーペチュアル・カレンダ機構である、本発明の第２の変形形態を示しており、２１００、２２００及び２３００年は、実際にはうるう年であるが、例外的に非うるう年である。したがって、本発明のこの第２の変形形態による機構は、従来のパーペチュアル・カレンダ機構とは異なり、２１００年、２２００年又は２３００年における調節を必要としない。
【００５１】
セキュラー・パーペチュアル・カレンダ機構は、第１の変形形態に対し上記で説明したのと同じ日車１ａ、１ｂ、２ａ、２ｂ、同じ日付プログラム・ユニット３、及び同じ駆動部材５を備える。以下の説明では、同じ参照番号は、第１の変形形態と共通の要素を指す。駆動ユニットは、非うるう年の２１００、２２００及び２３００年を管理するようにわずかに改変されている。
【００５２】
したがって、図１２及び図１３をより詳細に参照すると、第２の変形形態によれば、月車セット２４は、フィンガを備える年車６２、月車３０、３０日月車３２及び２月車６４を備え、２月車６４は、単一の歯を有し、この歯は、２月に対応し、月車３０の２月に対応する歯に重なり合うように構成する。月車セットの上記車６２、３０、３２及び６４は、月車セット２４の心棒上に同軸に互いに一体に組み付けられている。
【００５３】
この変形形態では、うるう年調節機構２６は、第１の下側歯部６６及び第２の上側歯部６８を有するうるう年調節車を備える。上記第１の歯部６６及び第２の歯部６８は、互いに対し１段ずれている。うるう年調節機構２６は、月車セット２４の心棒上に枢動可能に組み付けられている。
【００５４】
上記月車セット２４及びうるう年調節機構２６は、以下で説明するように、少なくとも２３００年まで、一方で駆動ユニット４と協働し、もう一方でうるう年プログラム車６３と協働するように構成する。
【００５５】
この目的で、この第２の変形形態では、第１の変形形態に関して上記で説明したように、駆動ユニット４又は月プログラム車は、第１の駆動車２０ａ及び第２の駆動車２０ｂを備え、第１の駆動車２０ａ及び第２の駆動車２０ｂは、それぞれ第１の日付プログラム車セット３ａの第１の日付駆動車１４ａ及び第２の日付プログラム車セット３ｂの第２の日付駆動車１４ｂと嵌合する。しかし、更なる要素がセキュラー・パーペチュアル・カレンダのうるう年の管理に必要であることを考慮して、構造レイアウトは異なる。
【００５６】
更に、月プログラム車は、月車セット２４の月車３０と嵌合するように構成した歯４４を備える月変更車４２、３０日月車３２と嵌合できるように構成した歯４８を保持する３０日基準車４６、月車セット２４の２月車６４の歯と嵌合できるように構成した歯５２を保持する２９日基準車５０、及び歯７２を保持する２８日基準ジャンパ７０を備え、歯７２は、うるう年において、うるう年調節機構２６が回転自由であるときに、うるう年調節車の第１の下側歯部６６と嵌合し、非うるう年において、うるう年プログラム車６３によってうるう年調節機構２６の回転を係止しているときに、月車セット２４の２月車６４と嵌合できるように構成する。２８日ジャンパ、２９日及び３０日車は、２９日基準車５０の歯５２が、２８日基準ジャンパ７０の歯７２に対して１段ずれ、３０日基準車４６の歯４８が、２９日基準車５０の歯５２に対して１段ずれるように配設する。
【００５７】
月変更車４２は、第２の駆動車２０ｂの駆動心棒４ｂを介して第２の駆動車２０ｂに接合している。３０日基準車４６、２９日基準車５０、２８日基準ジャンパ７０及び第１の駆動車２０ａは、駆動心棒４ｂ上に枢動可能に組み付けた駆動心棒４ａを介して互いに接合している。
【００５８】
第１の変形形態の場合のように、月変更車４２は、第１の駆動車２０ａに向かってピン５８を保持する。３０日基準車４６、２９日基準車５０、及び第１の駆動車２０ａのそれぞれは、アイと呼ぶ楕円開口６０を有し、アイは、月変更車４２のピン５８を受けるように構成し、アイ内部では、上記したように、上記ピン５８は、第２の駆動車２０ｂの動きが第１の駆動車２０ａの動きと異なる場合に移動することができる。
【００５９】
２８日基準ジャンパ７０は、当該月の２８日で２８日ジャンパ７０の歯７２が月変更車４２の歯４４と位置合わせするように月変更車４２に対して配置し、上記歯４４及び７２は、月車セット２４及びうるう年調節車セット２６のレベルに到達する。
【００６０】
図１４をより詳細に参照すると、うるう年プログラム車６３は、年駆動車７４、車駆動車７６、７８、年カム８０、及び世紀カム８２を備え、年駆動車７４は、２０本の歯を有し、一方で月車セット２４の年車６２と協働し、もう一方で年の一の位を表示する車７５と協働するように構成し、車駆動車７６、７８は、年表示を制御し、年カム８０は、非うるう年ではうるう年調節車２６の第２の上側歯部６８を係止し、うるう年（２０００、２００４、２００８、２０１２、２０１６年）では第２の上側歯部６８を自由にしておくように構成し、年駆動車７４、年表示を制御する駆動車７６、７８、及び年カム８０は一体に回転し、世紀カム８２は、年カム８０上に枢動可能に同軸に組み付け、２１００、２２００及び２３００年の非うるう年では、年カム８０に取って代わり、うるう年調節車２６の第２の上側歯部６８を係止するように構成する。世紀カム８２は、駆動車８４と一体であり、駆動車８４は、２０本の歯を有し、ムーブメントに運動学的に接続され、２０年ごとに１段前進し、世紀カム８２が４００年ごとに１回転するようにする。年カム８０は、年車６２と一体であるので、２０年ごとに１回転する。年カム８０は、その周辺部上に５つの切欠き８６を有し、切欠き８６は、うるう年、例えば２０００、２００４、２００８、２０１２及び２０１６年に対応する。これらの切欠き８６は、うるう年ではうるう年調節車２６の第２の上側歯部６８が上記切欠き８６に面しているときに第２の上側歯部６８が回転自由であり、且つもう一方の非うるう年では年カム８０の周辺部がうるう年調節車２６の第２の上側歯部６８を係止するように構成する。世紀カム８２は、３つの突起８８を有し、突起８８は、上記切欠き８６が非うるう年である２１００年、２２００年又は２３００年のうち１つに対応する場合、年カム８０の切欠き８６を埋めるように構成する。この場合、切欠き８６は埋められているため、うるう年調節車２６の第２の上側歯部６８は、切欠き８６を占める突起８８で係止されることになり、機構が非うるう年のための機構として挙動することになる。
【００６１】
図１１を参照すると、駆動車７６は、年の十の位を表示する車９０を駆動するように構成し、車９０は、年の一の位を表示する車７５周りに枢動可能に同軸に組み付けられている。駆動車７８は、中間駆動車セット９２を駆動するように構成し、中間駆動車セット９２は、一方で、年の百の位を表示する車９４を駆動し、もう一方で年の千の位を表示する車９６を駆動するように構成する。
【００６２】
セキュラー・パーペチュアル・カレンダ機構は、以下のように動作する：２月２８日に、第１の変形形態で上記した１ヶ月おきの２８日のように、第２の駆動車２０ｂは、待機位置にあり、月変更車４２、その歯４４及びピン５８は、既に上記したように停止している。月車セット２４は、３０日月車３２の歯は、３０日車４６の歯４８から離れているように位置し、月車３０の２月歯が歯４４と協働でき、且つ２月車６４の歯が２９日車５０の歯５２と協働できるようにする。２８日ジャンパは、その歯７２がうるう年調節車２６の第１の下側歯部６６といつでも協働できるような位置にある。
【００６３】
うるう年では、年カム８０は、切欠き８６がうるう年調節車２６の第２の上側歯部６８に面するように配設する。したがって、うるう年調節機構２６は、回転自由である。
【００６４】
第１の変形形態で説明したように、駆動小歯車２２ａの作用下、第１の駆動車２０ａは、１日につき１段前進し続ける。２月２９日に変更する際、２８日ジャンパ７０の歯７２は、うるう年調節車２６の第１の下側歯部６６と嵌合し、うるう年調節車２６は、回転自由であるため、それ自体が回転する。したがって、２８日ジャンパ７０は非活動状態である。同時に、上記したように、第１の駆動車２０ａは、１段前進して、第１の日付プログラム車セット３ａを駆動し、十の位の第３の下側車１ａ及び一の位の第１の下側車２ａにより、２９日を表示する。２月２９日から３月１日に変更する際、２８日車５０の歯５２は、２月車６４の歯と嵌合し、月車セット２４を１段前進させ、３月を表示させる。１段前進させることによって、月車３０を有する月車セット２４は、月変更車４２の歯４４を駆動し、第２の駆動車２０ｂを再始動させ、第２の日付プログラム車セット３ｂを駆動し、十の位の第４の上側車１ｂ及び一の位の第２の上側車２ｂにより、３月１日を表示するようにする。年車６２も１段前進する。ピン５８は、第１の変形形態で上記したのと同様にアイ６０内部で動作する。
【００６５】
非うるう年の場合、年カム８０は、カムの周辺部がうるう年調節車２６の第２の上側歯部６８と接触するように配設する。したがって、うるう年調節機構２６は、係止され、回転することができない。
【００６６】
２月２８日から３月１日に変更する際、駆動小歯車２２ａの作用下、第１の駆動車２０ａは、２８日ジャンパ７０の歯７２がうるう年調節車２６の第１の下側歯部６６と嵌合しようとして前進し続ける。うるう年調節機構２６の回転が係止されているため、２８日ジャンパ７０は、作動状態にあり、このため、第１の下側歯部６６の歯の傾斜面のために、２８日ジャンパ７０は、２月車６４の歯に対応する下側レベルまで摺動して下がる。次に、２８日ジャンパ７０は、２月車６４の歯と嵌合し、月車セット２４を１段前進させ、３月を表示する。第１の変形形態で上記したように、１段前進させることによって、月車３０を有する月車セット２４は、月変更車４２の歯４４を駆動し、第２の駆動車２０ｂを再度始動させ、第２の日付プログラム車セット３ｂを駆動し、十の位の第４の上側車１ｂ及び一の位の第２の上側車２ｂにより、３月１日を表示するようにする。ピン５８は、第１の変形形態で上記したのと同様にアイ６０内部で動作する。
【００６７】
２月が終わると、月車セット２４が枢動するので、２月車６４の歯は、２９日車５０の歯５２及び２８日ジャンパ７０の歯７２から離れる。したがって、２９日車５０の歯５２は、その他の月ではもはや作動状態ではなく、非うるう年の場合、２８日ジャンパ７０は、その他の月ではもはや作動状態ではない。
【００６８】
月車セット２４が１ヶ月に一度回転することにより、年車６２は１ヶ月に１段前進し、したがって、年駆動車７４を介して１年につき一度うるう年プログラム車６３を駆動する。年駆動車７４自体は、年カム８０、駆動車７６及び７８を駆動し、車７５、９０、９４及び９６に対する年表示を前進させる。年カム８０は、１年につき１段前進し、４年ごとに別の切欠き８６がうるう年調節機構２６に面して出現し、このことは、うるう年、及びうるう年における上記機構の実施に対応する。同時に、世紀カム８２は、駆動車８４によって制御され、２０年ごとに１段前進する。したがって、２１００年、２２００年又は２３００年の非うるう年が来た場合、うるう年調節機構２６に面する切欠き８６は、世紀カム８２の突起８８によって埋められ、うるう年調節機構２６の第２の上側歯部６８を係止するようにする。したがって、機構は非うるう年のための機構として挙動することになる。
【００６９】
この第２の変形形態は、第１の変形形態と同じ利点を有する。
【００７０】
図１５は、この第２の変形形態の別の実施形態を示す。この他の実施形態では、駆動ユニット４、うるう年調節機構２６、月車セット２４及びうるう年プログラム車６３は、図１１から図１４の実施形態の構造とは異なる構造のものである。その他の要素は同一である。この構造は、特に、逆方向修正が行われたときに日付表示の誤りを回避する様々な安全システムを備える。
【００７１】
より詳細には、駆動ユニット４において、歯４８、５２及び５６は、ここでは第１の変形形態の歯４８、５２、５６と同様であるが、それぞれ後退可能歯１４８、１５２及び１５６に取って代わり、それぞれ３０日車、２９日車及び２８日車（図示せず）上に組み付けられている。３０日車、２９日車及び２８日車は、ジャンパによって保持される。後退可能歯１４８、１５２及び１５６並びに月車セットの歯は、歯１４８、１５２及び１５６が、逆方向修正の際に月車セットと接触すると後退するように構成し、月車セットが駆動されて月が不正確に表示されないようにする。したがって、後退可能歯１４８、１５２及び１５６は、逆方向修正の際の第１の安全システムを構成する。
【００７２】
月変更車４２及びその歯４４は、月変更フィンガ１４２に取って代わられ、月変更フィンガ１４２は、月車セット２４の月車３０と嵌合するように構成した歯１４４で終端する。このフィンガ１４２は、第２の駆動車２０ｂに対し枢動可能に組み付けられ、日付の逆方向修正が必要である場合に、これら２つの要素の分解を可能にする。第２の駆動車２０ｂに対する、一方をもう一方に対して駆動できる又は駆動できないようにするフィンガ１４２の動きは、アイ１０６、ピン１０８及び１１０及びジャンパ１１１を有するシステムにより制御する。ピン１１０は、フィンガ１４２と一体であり、第１の駆動車２０ａ内に配置したアイ１０６内部で移動するように構成する。ピン１０８は、第２の駆動車２０ｂと一体であり、フィンガ１４２を応力下で保持することができる。この機構は、第２の安全システムを構成し、逆方向修正の際、第２の駆動車２０ｂからフィンガ１４２を解放することができ、日車が駆動されて日付が不正確に表示されないようにする。
【００７３】
駆動ユニット４は、第３の安全システムを備え、逆方向修正の際に第１の駆動車２０ａ及び第２の駆動車２０ｂが接合することを可能にする。このシステムは、前述の実施形態のアイ６０及びピン５８に代わるものである。システムは、レバー１５９上に固定したピン１５８を備え、レバー１５９は、第２の駆動車２０ｂ上に枢動可能に組み付けられ、ジャンパによって保持される。ピン１５８は、第１の駆動車２０ａ、２８日車、２９日車及び３０日車内に配置したアイ１６０の内部を移動するように構成する。アイ１６０は、ピン１５８を所定位置に入れる留め具１６０ａを有し、上記したように、第１の駆動車２０ａが、当該月の最初の日の３日後に再始動するようにする。更に、留め具１６０ａは、係止部材を形成し、第１の駆動車２０ａ及び第２の駆動車２０ｂが、同期して回転する際に互いに接合することを可能にする。枠上には、スタッド１６１を配置し、スタッド１６１は、上記留め具１６０ａ内部に位置するピン１５８が、当該月の２８日に、スタッド１６１の反対側に到達すると、ピン１５８を留め具１６０ａから外し、第１の駆動車２０ａ及び第２の駆動車２０ｂを解放するように構成し、上記のように、当該月の初めに、第１の駆動車２０ａ及び第２の駆動車２０ｂが同期せずに移動することを可能にする。この安全システムは、機構が正常に動作することを可能にし、逆方向修正の際に第１の駆動車２０ａ及び第２の駆動車２０ｂが互いに接合することも可能にし、例えば、単一のジャンプにより、迅速な表示修正を行い、３月１日から２月２８日に変更することを可能にする。
【００７４】
月車セット２４において、２月車の歯１６３は、歯１５６及び歯１５２と協働又は嵌合できるように構成する。この実施形態では、うるう年調節機構２６は、枠上に枢動可能に組み付け、一方でうるう年プログラム車６３の年カム８０又は世紀カム８２と協働し、もう一方で後退可能歯１５６と協働するように構成した係止カム１６５から形成する。うるう年において、係止カム１６５は、年カム８０に面する切欠き８６内に落下し、後退可能歯１５６を押し戻すようにし、すると、後退可能歯１５６は歯１６３ともはや協働することはできない。この場合、上記第２の変形形態の第１の実施形態のように、２８日から２９日に変更する際、歯１５６は、非作動状態である。非うるう年において、係止カム１６５は、年カム８０の「通常」周辺部と協働し、係止カム１６５が揺動するようにし、後退可能歯１５６が作動位置に戻り、２月２８日から３月１日に変更する際に歯１６３と協働することを可能にする。次に、歯１６３及び歯１５６は、上記した非うるう年車３８のフィンガ及び第１の変形形態の歯５６のように動作する。
【００７５】
２１００、２２００又は２３００年の非うるう年を管理するために、年カム８０上に枢動可能に組み付けたレバー１６７を設ける。世紀カム８２は、３つの突起８８を備え、突起８８は、突起８８が対向するレバー１６７に到達した際に、上記レバー１６７を持ち上げるように構成する。次に、レバー１６７が枢動し、係止カム１６５を揺動して、係止カム１６５がまるで年カムの「通常」周辺部と協働するかのような同じ位置に至らせる。したがって、係止カム１６５は、揺動し、後退可能歯１５６を作動位置に戻し、あたかも非うるう年であるかのように、歯１６３と協働することを可能にしている。
【００７６】
歯１４８及び１５２の動作は、歯４８及び５２の動作と同様である。
【符号の説明】
【００７７】
１  日車
２  日車
３  日付プログラム・ユニット
４  駆動ユニット
５  駆動部材
２４  月車セット
２６  うるう年調節機構
２８  切欠き
３０  月車
３２  ３０日月車
【図１】
2018100970.tif 000003
【図２】
2018100970.tif 000004
【図３】
2018100970.tif 000005
【図４】
2018100970.tif 000006
【図５】
2018100970.tif 000007
【図６】
2018100970.tif 000008
【図７】
2018100970.tif 000009
【図８】
2018100970.tif 000010
【図９】
2018100970.tif 000011
【図１０】
2018100970.tif 000012
【図１１】
2018100970.tif 000013
【図１２】
2018100970.tif 000014
【図１３】
2018100970.tif 000015
【図１４】
2018100970.tif 000016
【図１５】
2018100970.tif 000017